(57)【要約】 【課題】子供が引き戸を開け閉めする悪戯による、騒音や指つめ防止。又、子供や徘徊老人などが、部屋から抜け出したり、入って欲しくない部屋に使用するための、容易に開閉、着脱ができる簡易ロックを提供する。【解決手段】固定部１２による、引き戸への簡単な着脱。又、レバー６と開閉板５の操作により、引き戸の開閉を容易にできる手段を有する。【選択図】図１
2013159954.tif 000002
【特許請求の範囲】
【請求項１】
引き戸が開かないようにロックする引き戸のロック装置であって、
板状形状をした板状体と、
該板状体の一方の側面側に配置された開閉板と、
該開閉板を回転させるレバーと、
前記開閉板が配置されている面と直交する前記板状体の側面側に配置され、前記一方の側面と対抗する他方の側面側から前記開閉板との間に引き戸を挟みこむ固定部と、を有し、
前記板状体は、前記開閉板が配置された方から引き戸と壁の間に通され、該開閉板が壁から全て出たところで前記レバーにより前記開閉板を回転させる引き戸のロック装置。
【請求項２】
引き戸が開かないようにロックする引き戸のロック装置であって、
板状形状をした板状体と、
該板状体の一方の側面側に配置された開閉板と、
該開閉板を回転させるレバーと、
前記開閉板が配置されている面と直交する前記板状体の側面側に配置され、前記一方の側面と対抗する他方の側面側から前記開閉板との間に引き戸を挟みこむ固定部と、を有し、
前記板状体は、前記開閉板が配置された方から手前側の引き戸と奥側の引き戸の間に通され、該開閉板が該奥側の引き戸から全て出たところで前記レバーにより前記開閉板を回転させる引き戸のロック装置。
【請求項３】
前記固定部が装着され、前記開閉板が配置されている面と直交する前記板状体の側面上を移動可能な移動部本体と、
該移動部本体を前記板状体の所定の位置に停止させる移動部ロック解除ボタンと、を備え、
前記移動部本体は、前記移動部ロック解除ボタンを押圧することにより前記板状体上を 
移動可能になることを特徴とする請求項１または２記載の引き戸のロック装置。
【請求項４】
前記開閉板は、
該板状体の一方の側壁側に複数枚配置された小開閉板と、
該小開閉板を連結する小開閉板連結部と、を備え、
最上部の前記小開閉板の上部と一体的に構成された上部開閉板回転軸と結合された前記レバーを回転させることにより、全ての前記小開閉板が同方向に回転することを特徴とする請求項１〜３のいずれか１項に記載の引き戸のロック装置。
【請求項５】
前記レバーは、最下部の前記小開閉板の上部と一体的に構成された下部開閉板回転軸とも結合が可能であり、
前記下部開閉板回転軸と結合された前記レバーを回転させることにより、全ての前記小開閉板が同方向に回転することを特徴とする請求項４項に記載の引き戸のロック装置。
【発明の詳細な説明】
【技術分野】
【０００１】
本発明は、引き戸が開かないようにロックする引き戸のロック装置に関する。
【背景技術】
【０００２】
従来より、開き戸が開かないようにロックする開き戸のロック装置が知られている。
【０００３】
この種のロックする開き戸のロック装置として、図２２に示すように、扉体Ｄ１、Ｄ２の戸当たりＯを挟んで対称位置に取り付けられる一対のベース部１０２、１０３と、上記各ベース部間に架け渡されるアーム部１０４とを含み、上記アーム部１０４は、ベース１０３に回転可能に軸支され、ベース１０２から突設された係止凸部１２２に対して所定のロック手段を介して着脱自在に係止される扉開き防止装置１０１において、アーム部１０４には、係止凸部１２２と嵌合するガイド溝１４２が設けられており、ロック手段は、ガイド溝１４２内に向けて出没する係止爪１５４を有するロックレバーと、係止爪１５４を常にガイド溝１４２に向けて突出させるバネ付勢部とを有し、上記アーム部１０４には、係止爪１５４の係止凸部１２２に対するロック状態を半解錠した状態とする位置にロックレバーを移動させることを可能とする第１ロック解除部１４３と、上記半解錠した状態にある記係止爪１５４のロック状態を全解錠状態とする位置にロックレバーを移動させることを可能とする第２ロック解除部１４４とが設けられ、この扉開き防止装置１０１を扉体に取り付けるためには、ベース部１０２，１０３の裏面に設けられた両面粘着テープを用いて扉体Ｄ１、Ｄ２に引っ付けるというものであった（たとえば、特許文献１）。
【先行技術文献】
【特許文献】
【０００４】
【特許文献１】２００４−３６０１９２号公報
【発明の概要】
【発明が解決しようとする課題】
【０００５】
しかしながら、従来の扉開き防止装置では、扉開き防止装置を両面テープを用いて扉体に取り付けるものであるので、扉開き防止装置を扉体から取り外す場合、両面テープの接着部分を綺麗に剥がすことが困難で、手間がかかるというものであった。また、扉体に穴を開けて取り付けるものもあるが、扉体に穴を開ける場合は取り付けが大変であるばかりか、取り外した後においても穴が見え見栄えが悪くなるという問題点があった。さらに、このような、扉開き防止装置を開き戸ロック装置に用いる場合には、部屋をロックして部屋の内部で寝てしまった場合、外からそのロックを解除させることができないという問題も有していた。
【０００６】
本発明は上記問題点に鑑みてなされたもので、引き戸や壁に加工傷を付けることなく、取り付け取り外しが容易であるとともに、取付場所を自由に設定でき部屋の内外から取り外しができる引き戸のロック装置を提供することを目的とする。
【課題を解決するための手段】
【０００７】
上記課題を解決し上記目的を達成するために、本発明のうち第１の態様に係るものは、引き戸が開かないようにロックする引き戸のロック装置であって、板状形状をした板状体と、該板状体の一方の側面側に配置された開閉板と、該開閉板を回転させるレバーと、開閉板が配置されている面と直交する板状体の側面側に配置され、一方の側面と対抗する他方の側面側から開閉板との間に引き戸を挟みこむ固定部と、を有し、板状体は、開閉板が配置された方から引き戸と壁の間に通され、該開閉板が壁から全て出たところでレバーにより開閉板を回転させるものである。
【０００８】
本発明によれば、固定部により引き戸のロック装置が取り付け取り外すことができるので、取り付け取り外しが容易であるとともに、取り付ける際に壁に穴等をあけないので見栄えよく取り付けることができる。また、取り付け場所を自由に設定できるので子供の手の届かない場所に取り付けることができ、引き戸のロック装置の子供による自由な解除を排除することができる。さらに、部屋の内部ではレバーにより開閉板を回転させることにより、また部屋の外部からは開閉板を直接回転させることにより、部屋の内外のいずれにおいても、引き戸のロック装置を取り外すことができる。
【０００９】
本発明のうち第２の態様に係るものは、引き戸が開かないようにロックする引き戸のロック装置であって、板状形状をした板状体と、該板状体の一方の側面側に配置された開閉板と、該開閉板を回転させるレバーと、開閉板が配置されている面と直交する板状体の側面側に配置され、一方の側面と対抗する他方の側面側から開閉板との間に引き戸を挟みこむ固定部と、を有し、板状体は、開閉板が配置された方から手前側の引き戸と奥側の引き戸の間に通され、該開閉板が該奥側の引き戸から全て出たところでレバーにより開閉体を回転させるものである。
【００１０】
本発明によれば、第１の態様の引き戸のロック装置と同様の作用効果を奏する。
【００１１】
本発明のうち第３の態様に係るものは、第１または第２の態様に係る引き戸のロック装置であって、固定部が装着され、開閉板が配置されている面と直交する板状体の側面上を移動可能な移動部本体と、該移動部本体を板状体の所定の位置に停止させる移動部ロック解除ボタンと、を備え、移動部本体は、移動部ロック解除ボタンを押圧することにより板状体上を移動可能になるものである。
【００１２】
本発明によれば、固定部が装着された移動部本体が板状体の側面上を移動することにより、固定部と開閉板の間の間隔を自由に設定でき、引き戸のサイズにフィットした状態で引き戸のロック装置を取り付けることができる。
【００１３】
本発明のうち第４の態様に係るものは、第１〜３のいずれかの態様に係る引き戸のロック装置であって、開閉板は、該板状体の一方の側壁側に複数枚配置された小開閉板と、該小開閉板を連結する小開閉板連結部と、を備え、最上部の小開閉板の上部と一体的に構成された上部開閉板回転軸と結合されたレバーを回転させることにより、全ての小開閉板が同方向に回転するものである。
【００１４】
本発明によれば、最上部の小開閉板の上部と一体的に構成された上部開閉板回転軸と結合されたレバーを回転させることにより、複数枚の全ての小開閉板が同方向に回転するので、開閉板が一点で引き戸（または壁）に当たることなく、安定したロック状態を維持することができる。
【００１５】
本発明のうち第５の態様に係るものは、第４の態様に係る引き戸のロック装置であって、レバーは、最下部の小開閉板の上部と一体的に構成された下部開閉板回転軸とも結合が可能であり、下部開閉板回転軸と結合されたレバーを回転させることにより、全ての小開閉板が同方向に回転するものである。
【００１６】
レバーを最下部の小開閉板の上部と一体的に構成された下部開閉板回転軸と結合させることにより、引き戸のロック装置を上下逆にして取り付ける場合でもレバーの操作を容易に行うことができる。これにより、引き戸のロック装置の差込方向を逆（たとえば、右方向→左方向）にした場合でもレバーの操作を容易に行うことができる。
【発明の効果】
【００１７】
本発明によれば、引き戸や壁に加工傷を付けることなく、取り付け取り外しが容易である。また、取付場所を自由に設定でき、部屋の内外から取り外しができる。
【図面の簡単な説明】
【００１８】
【図１】（ａ）本発明の第一の実施形態における引き戸のロック装置の正面斜視図である。           （ｂ）同引き戸のロック装置の正面分解図である。
【図２】（ａ）同引き戸のロック装置の背面斜視図である。           （ｂ）同引き戸のロック装置の背面分解図である。
【図３】同引き戸のロック装置の上面図である。
【図４】図３のＡ−Ａ断面図である。
【図５】開閉板の詳細図である。
【図６】開閉板と板状体の組み立て方法の一例である。
【図７】本発明の第一の実施形態における引き戸のロック装置の正面分解斜視図である。
【図８】本発明の第一の実施形態における引き戸のロック装置の開閉板とレバーの結合方法を示す図である。
【図９】同引き戸のロック装置の開閉方法を示す図である。
【図１０】図４のＢ視拡大図である。           （ａ）板状体と移動部ロック解除ボタンとの関係性を示す図である。           （ｂ）移動ユニットの移動可能状態を示す図である。           （ｃ）移動ユニットの矢印イ方向への移動不可状態を示す図である。
【図１１】同引き戸のロック装置の取り付け方法を示す図である。
【図１２】同引き戸のロック装置の挿入方向を左右入れ替える際の手順を示す図である。
【図１３】本発明の第二の実施形態を説明するための引き戸のロック装置の正面斜視図である。
【図１４】同引き戸のロック装置を説明するための上面図である。
【図１５】本発明の第三の実施形態における引き戸のロック装置の背面斜視図である。           （ａ）引き戸のロックを解除した状態の図である。           （ｂ）引き戸にロックをした状態の図である。
【図１６】同引き戸のロック装置のロックユニットの背面分解斜視図である。
【図１７】同引き戸のロック装置の引き戸取り付け状態上面図である。
【図１８】同引き戸のロック装置のロックユニットの正面図である。
【図１９】図１８のＥ−Ｅ断面図における使用方法を示す図である。        （ａ）引き戸のロックを解除した状態の図である。        （ｂ）開閉板を少し開いた状態の図である。        （ｃ）引き戸にロックをした状態の図である。        （ｄ）図１９（ａ）のＦ視拡大図である。
【図２０】図１８のＥ−Ｅ断面図における部屋の外からのロック解除方法を示す図である。        （ａ）開閉板の取り外し方法を示す図である。        （ｂ）引き戸のロックを解除した状態の図である。
【図２１】本発明の第一、第三の実施形態における固定部変形例である。
【図２２】従来のロック装置を示す図である。
【発明を実施するための形態】
【００１９】
本発明の引き戸のロック装置の第一の実施形態について、図面を参照しながら説明する。ここで、図１（ａ）は、本発明の第一の実施形態における引き戸のロック装置の正面斜視図であり、図１（ｂ）は、同引き戸のロック装置の正面分解図であり、図２（ａ）は、同引き戸のロック装置の背面斜視図であり、図２（ｂ）は、同引き戸のロック装置の背面分解図である。
【００２０】
図１及び図２に示すように、第一の実施形態に係る引き戸のロック装置１は、ロックユニット２と、固定部１２を備えた、移動ユニット３から構成され、移動ユニット３は、板状体４上を移動できるように取り付けられている。なお、図１及び図２では、ロックユニット２の構成部品として、レバー６とレバー留め具８を取り付けた状態にしているが、本来は、レバー６とレバー留め具８は、ロックユニット２と、移動ユニット３を嵌めた後に取り付ける部品である。
【００２１】
図１及び図２に示すように、ロックユニット２は、板状体４と、開閉板５（上部小開閉板５ａ、中部小開閉板５ｂ、下部小開閉板５ｃ）と、レバー６と、小開閉板連結部７と、レバー留め具８を有する。尚、本実施形態における開閉板５を回転させるレバー６は、レバーに限らずボタンでもよく、例えば開閉板５を閉じたままにするための連結部が、ボタンを押すことで離れ、バネなどで、開閉板５が回転し、引き戸をロックするという構造にしてもよい。
【００２２】
板状体４は、樹脂製で、厚さが３ｍｍ〜５ｍｍの板状形状（略直方体）であり、内部に開閉板５の回転軸５ｄが挿入される回転軸孔４ｂが設けられている（図１（ｂ）参照）。この板状体４の厚さは、壁と引き戸、または手前の引き戸と奥の引き戸の隙間に入る厚さ（３ｍｍ〜５ｍｍ）である。また、板状体４には、移動ユニット３の板状体４上での位置決めの役割を果たすギザギザ形状をした、板状体側係止部４ａが形成されている。なお、第一の実施形態では、樹脂を材料として製造したが、これに限らず、他の材料を使って製造するものであってもよい。また、板状体４は、略直方体以外の板状形状（たとえば、厚さが３ｍｍ〜５ｍｍの楕円形状）であってもよい。
【００２３】
開閉板５は、板状体４の一方の側面側に配置され、上部小開閉板５ａ、中部小開閉板５ｂ、下部小開閉板５ｃとで構成されている。ここで上部小開閉板５ａと下部小開閉板５ｃは同一形状であるが、中部小開閉板５ｂは、上部小開閉板５ａと下部小開閉板５ｃより回転軸５ｄが短く、開閉板５の回転軸５ｄの先端部の上部レバー連結部５ｅが設けられていない点で上部小開閉板５ａと下部小開閉板５ｃとは異なる（図１（ｂ）参照）。ここで、レバー留め具８を上部レバー連結部５ｅに装着することにより、レバー６を開閉板５の回転軸５ｄに着脱自在に取り付けることができる。このレバー留め具８は、移動ユニット３の内部に開閉板５の回転軸５ｄが通された後に取り付ける。なお、第一の実施形態では、開閉板５を３つ（上部小開閉板５ａ、中部小開閉板５ｂ、下部小開閉板５ｃ）設けて説明したが、これに限らず、開閉板５を５つ設けてもよく、開閉板５の数は問わない。なお、第一の実施形態では、開閉板５の回転軸５ｄを開閉板５の構成の一部に含めたが、回転軸５ｄを開閉板５と別構成と考えてもよい。
【００２４】
開閉板５の小開閉板部分（上部小開閉板５ａと中部小開閉板５ｂと下部小開閉板５ｃ）の側壁は、小開閉板連結部７により、連結されている。そして、レバー６を回転させることにより、小開閉板連結部７により連結している、上部小開閉板５ａと中部小開閉板５ｂと下部小開閉板５ｃを同時に回転させることができる。
【００２５】
上部レバー連結部５ｅには、レバー６と一方向にのみ取り付け可能な凸形状を設けている（詳細は後述する）。これによりレバー連結部５ｅと、レバー６は空回りすることなく、レバー６の回転を、上部小開閉板５ａに伝えることができる（図１（ｂ）
参照）。又、補強形状５ｇ部分に大きな力がかかると、直角形状では破損する恐れがあるため、力の集中を防ぐＲ形状とし、開閉板付ロック部５ｈ部分に、ゴム製の材質を設定することで、壁や引き戸といった対象物を平面で捕らえることができ、同時に対象物の傷つき防止の役割を果たす。なお、板状体４の内部を貫通する、回転軸５ｄの直径は、Φ２ｍｍ〜Φ４ｍｍ程度である。開閉板５は、樹脂を材料として製造したが、これに限らず、金属や、他の材料を使って製造するものであってもよく、ロック部５ｈはゴムやエラストマを材料として製造したが、他の材料を使って製造するものであってもよい。
【００２６】
前述したように、レバー６は、上部レバー連結部５ｅの凸形状部分に取り付け、レバー留め具８は、
レバー６の外れ防止である。小開閉板連結部７は、上部小開閉板５ａ、中部小開閉板５ｂ、下部小開閉板５ｃを連結し、レバー６を動かすことで、全ての小開閉板が同方向に回転させるための部品である。レバー６、小開閉板連結部７、レバー留め具８、いずれも樹脂を材料として製造したが、これに限らず、他の材料を使って製造するものであってもよい。
【００２７】
次に、移動ユニット３を構成する部品の詳細な説明を行う。
図１及び図２に示すように、移動ユニット３は、移動部本体９と、移動部ロック解除ボタン１０ａ、移動部ロック解除ボタン１０ｂと、移動部ロック解除ボタン用バネ１１（図４参照）と、固定部１２と、クリップ用バネ１３（図３参照）を有する。
【００２８】
移動部本体９は、板状体４上を移動する構成の、本体としての役割をもつ。なお、移動部本体９の内部には、移動部ロック解除ボタン１０ａと、移動部ロック解除ボタン１０ｂと、移動部ロック解除ボタン用バネ１１を有し、移動部ロック解除ボタン１０ａ、移動部ロック解除ボタン１０ｂは、移動部本体９を移動させるためのボタンであり、移動部ロック解除ボタン用バネ１１は、移動部ロック解除ボタン１０ａ、移動部ロック解除ボタン１０ｂを機能させるためのバネである。固定部１２は、引き戸のロック装置１を、引き戸に固定させるための部品であり、クリップ用バネ１３は、固定部１２を機能させるためのバネである（図３参照）。材質は樹脂を材料として製造し、バネは金属、移動部付ロック部９ｂ、引き戸つかみ部１２ｃは引き戸に接触するため、傷つき防止用にゴムやエラストマを材料として製造したが、これらに限らず、他の材料を使って製造するものであってもよい。
【００２９】
次に、図３及び図４を用いて、作用的な説明を行う。ここで、図３は、同引き戸のロック装置の上面図であり、図４は、図３のＡ−Ａ断面図である。図３のように、固定部１２は、クリップ形状をしており、クリップ押し位置１２ａを押すことで、引き戸つかみ部１２ｃが、矢印のように開き、クリップ押し位置１２ａを離すことで、クリップ用バネ１３によって押し戻され、引き戸つかみ部１２ｃが閉じる構造である。これにより、引き戸を挟み込むだけで固定を行うことが可能となる。
【００３０】
又、図４のように、レバー６と開閉板５は、上部レバー連結部５ｅでつながっており、レバー６を操作することで、上部小開閉板５ａを回転させることができる。この時、上部小開閉板５ａの先端には、小開閉板連結部７が全ての小開閉板につながっているため、上部小開閉板５ａが回転すると、中部小開閉板５ｂと、下部小開閉板５ｃも同様に回転する。
【００３１】
ロックユニット２と移動ユニット３は、板状体４と、移動部本体９内部にある移動部ロック解除ボタン１０ａ、移動部ロック解除ボタン１０ｂによって固定されている。移動部ロック解除ボタン１０ａ、移動部ロック解除ボタン１０ｂを同時に押すことで、移動部ロック解除ボタン用バネ１１が縮まり、ギザギザ形状のロック部が外れ、移動可能となる。なお、詳細は後述する。又、移動部ロック解除ボタンを上下に２個として説明したが、これに限らず、１個としても問題ない。
【００３２】
次に、図５から図７を用いて、組み立て方法の説明を行う。ここで、図５は、開閉板の詳細図であり、図６は、開閉板と板状体の組み立て方法の一例であり、図７は、本発明の第一の実施形態における引き戸のロック装置の正面分解斜視図である。開閉板５は小開閉板（上部小開閉板５ａ、中部小開閉板５ｂ、下部小開閉板５ｃ）と、レバー連結部（上部レバー連結部５ｅ、下部レバー連結部５ｆ）を設けているので（図５参照）、次のように、ロックユニット２の組み立て例を挙げる。第一に板状体４を２つに割り、回転軸５ｄを挟み込むように、接着剤やビス等で取り付ける方法を挙げる（図６（ａ）参照）。第二に開閉板５の上部レバー連結部５ｅ部分を分解して、回転軸５ｄ部を板状体４の内部に通した後、分離させた上部レバー連結部５ｅを取り付ける方法を挙げる（図６（ｂ）参照）。例として組み立て方法を挙げたが、機能的な違いはないので、組み立て方法について特に限定はしない。
【００３３】
移動ユニット３を構成する移動部本体９は、固定部１２の土台としての役割と、内部に移動部ロック解除ボタン１０ａと、移動部ロック解除ボタン１０ｂと、移動部ロック解除ボタン用バネ１１をもち（図７参照）、これらを内部に配置した後、蓋をする形となるが、機能的な違いはないので、接着剤やビスなど、固定方法は限定しない。
【００３４】
次に、図８から図１０を用いて、動作説明を行う。図８は、本発明の一実施形態における引き戸のロック装置の開閉板とレバーの結合方法を示す図であり、図９は、同引き戸のロック装置の開閉方法を示す図であり、図１０は、図４のＢ視拡大図であり、図１０（ａ）は、板状体と移動部ロック解除ボタンとの関係性を示す図であり、図１０（ｂ）は、移動ユニットの移動可能状態を示す図であり、図１０（ｃ）は、移動ユニットの矢印イ方向への移動不可状態を示す図である。上部レバー連結部５ｅ（又は、下部レバー連結部５ｆ）と、レバー６は１方向だけ取り付け可能な凹凸形状を有する（図８参照）。このことから、レバー６を動かすと、空回りすること無く、レバー６の力を開閉板５に伝えることが可能となり、レバーの動きによって小開閉板（上部小開閉板５ａ、中部小開閉板５ｂ、下部小開閉板５ｃ）も動き、引き戸のロック、ロック解除が可能となる。又、移動部本体９には、レバー用ストッパー９ａを設定し、固定部１２にはレバー用ストッパー１２ｂを設定した（図９参照）。レバー用ストッパーは他の構成部品を利用しても問題ないが、レバー用ストッパーを設定することで、可動範囲を９０度とし、ロックの開閉がわかりやすく、容易なものとしている。なお、レバー６は、常に固定部１２の上側が可動範囲となるように、上部レバー連結部５ｅ、下部レバー連結部５ｆのどちらにも着脱可能としている。これは、重力により、勝手にレバー６が動かないように考慮したもので、引き戸のロック装置１の引き戸への取り付け方向が変わった場合でも対応できるようにしている。なお、この時、磁石などを利用して、レバー６と、レバー用ストッパー９ａ、レバー用ストッパー１２ｂがくっつく構造として、レバー連結部（上部レバー連結部５ｅ、下部レバー連結部５ｆ）を上下に２ヶ所ではなく、片側１ヶ所としても問題ない。
【００３５】
図１０は図４のＢ視を拡大した図であり、板状体４は、移動部ロック解除ボタン１０ａの内部を通るように設定されている（図１０（ａ）参照）。なお、移動部ロック解除ボタン１０ｂは、移動部ロック解除ボタン１０ａと同様の動きをするため、説明を省略する。移動部ロック解除ボタン１０ａを押すと、板状体側係止部４ａと、移動部ロック解除ボタン側係止部１０ｃに、隙間Ｃができ、移動ユニット３は、矢印ア、矢印イ、両方向への移動が可能となる（図１０（ｂ）参照）。ここで、移動部ロック解除ボタン１０ａを離すと、移動部ロック解除ボタン用バネ１１によって、移動部ロック解除ボタン１０ａが押され、板状体側係止部４ａと、移動部ロック解除ボタン側係止部１０ｃが合わさる形となる（図１０（ｃ）参照）。この時、引き戸との隙間を調整する（詳細は後述する）、矢印ア方向へは、斜めに合わさっていることから、移動可能であるが、引き戸を開ける際に力のかかる、矢印イ方向へは、Ｄのかかりしろによって、移動不可となる。なお、引き戸との調整を容易にするために、矢印ア方向へは移動可能なギザギザ形状としているが、保持力を増すために矢印ア、矢印イ、両方向への移動を不可とした凹凸形状にしたり、作業性を重視して、移動部ロック解除ボタン１０ａ、移動部ロック解除ボタン１０ｂの２個のボタンを１個にしても問題はない。
【００３６】
次に、図１１を用いて引き戸のロック装置１の、使用方法の説明を行う。ここで、図１１は、本発明の第一の実施形態における引き戸のロック装置１の取り付け方法を示す図である。まず、レバー６と、レバー用ストッパー９ａを接触させて、ロックを解除した状態で、引き戸２３と壁、又は引き戸２４の間を、小開閉板連結部７、小開閉板（上部小開閉板５ａ、中部小開閉板５ｂ、下部小開閉板５ｃ）、板状体４と順に挿入していく（図１１（ａ）、（ｂ）参照）。その後、小開閉板（上部小開閉板５ａ、中部小開閉板５ｂ、下部小開閉板５ｃ）が、壁又は引き戸２４より突出した後、レバー６を動かし、レバー用ストッパー１２ｂと接触させることで、小開閉板（上部小開閉板５ａ、中部小開閉板５ｂ、下部小開閉板５ｃ）が回転し、壁又は引き戸２４に引っかかり、引き戸をロックした状態となる（図１１（ｃ）参照）。この状態で、ロックユニット２を引っ張りながら、（この時、板状体４や、レバー６、又はレバー留め具８などに、引っ張る際の持ち手を設定しておくと、作業が容易になる）移動ユニット３を引き戸２３に押すようにして、開閉板付ロック部５ｈと壁又は引き戸２４、移動部付ロック部９ｂと引き戸２３の隙間をなくすように調整する（図１１（ｄ）参照）。この時、前述したように、板状体側係止部４ａと、移動部ロック解除ボタン側係止部１０ｃをギザギザ形状にしておけば、調整の際、移動部ロック解除ボタン１０ａ、移動部ロック解除ボタン１０ｂを押す手間が省けるため、調整が容易となる。この時点で調整が完了したので、一度レバー６を、レバー用ストッパー９ａに接触させてロックを解除し、引き戸のロック装置１を取り付けたまま、引き戸２３を開けて部屋の外に出て、小開閉板（上部小開閉板５ａ、中部小開閉板５ｂ、下部小開閉板５ｃ）を９０度回転させて、部屋の外から引き戸をロック状態にしたり、同じ引き戸であれば、用のない時に一度取り外し、使用する時に、そのまま調整なしで取り付けることも可能である。これにより、子供等を部屋の外に出させたくない時や、特定の部屋に入れさせたくない時に、部屋の内外からロックするということが可能となる。なお、隙間をなくす調整が不十分な状態で引き戸をロックしてしまうと、隙間の分だけ引き戸が開いてしまうので、指を挟んだり、隙間の分だけ勢いがついて開くことによる、引き戸のロック装置１の破損となる可能性があるので、調整を忘れずに行うことが必要となる。
【００３７】
ここで、固定部１２に必要な、引き戸を掴む力について説明する（図１１（ｄ）参照）。ロック部９ｂは、引き戸ロック時に、引き戸に直接接触する部分であり、開閉板付ロック部５ｈと壁又は引き戸
２４と、移動部付ロック部９ｂと引き戸 ２３が係止されることで、引き戸が開かなくなる構造としている。このことから、引き戸ロック時に引き戸を開けようとした際、直接力のかかる場所は、開閉板付ロック部５ｈと、移動部付ロック部９ｂの部分であり、固定部１２が外れるような方向には働かないため、固定部１２は、引き戸からずり落ちない程度の掴む力があれば問題ない。
【００３８】
又、これまでの説明では、引き戸のロック装置１を右方向から左方向へ差し込んで取り付けをしたが、左方向から右方向へ差し込んで取り付ける場合にも対応している。逆方向への取り付け方法については、図１２を用いて説明する。ここで、図１２は、本発明の第一の実施形態における引き戸のロック装置の挿入方向を左右入れ替える際の手順を示す図である。まず、ロック解除状態とし、引き戸のロック装置１を取り外す（図１２（ａ）参照）。その後、上部レバー連結部５ｅから、レバー留め具８を取り外した後、レバー６を取り外す（図１２（ｂ）参照）。レバー６を取り外したら、小開閉板（上部小開閉板５ａ、中部小開閉板５ｂ、下部小開閉板５ｃ）を１８０度回転した後、下部レバー連結部５ｆに、レバー６と、レバー留め具８を取り付け（図１２（ｃ）参照）、引き戸のロック装置１を１８０度回転させる（図１２（ｄ）参照）。その後、左方向から同様に取り付ければ、どちらの方向からでも取り付けが可能となる（図１２（ｅ）参照）。
【００３９】
次に図１３、図１４を用いて、本発明の固定部についての、第二の実施形態を説明する。ここで、図１３は、本発明の第二の実施形態を説明するための引き戸のロック装置の正面斜視図であり、図１４は、同引き戸のロック装置を説明するための上面図である。なお、第二の実施形態では、ロックユニット２を共通としているため、ロックユニット２に関する説明は省略する。これまで、取り付けが容易にできるクリップ形状の固定部１２について説明しているが、固定部１５のようなネジ固定方式といった固定方法もある。このように引き戸に取り付ける方法については特に限定しない。なお、図１３、図１４における、第一の実施形態である固定部１２と、第二の実施形態である固定部１５との相違点は以下の点である。ネジ固定構造用移動部本体１４は移動部本体９に相当し、レバー用ストッパー１４ａはレバー用ストッパー１２ｂに相当し、ロック部１４ｂはロック部９ｂに相当するが（図１３、図１４参照）、他の構成部品を利用しても問題はない。なお、固定、解除方法は、ハンドル１５ａを掴み、時計方向に回すと、接触部土台１５ｃが引き戸を掴む方向に閉まり、反時計方向に回すと引き戸から離れる構造としている（図１４矢印参照）。材質は樹脂を材料として製造したが、これに限らず、他の材料を使って製造するものであってもよい。接触部１５ｄには引き戸の傷つき防止のため、ゴム、エラストマを材料として製造したが、これに限らず、他の材料を使って製造するものであってもよい。
【００４０】
次に、本発明の引き戸のロック装置の第三の実施形態におけるロックユニットについて、図面を参照しながら説明する。ここで、図１５は、本発明の第三の実施形態における引き戸のロック装置の背面斜視図であり、図１５（ａ）は引き戸のロックを解除した状態の図であり、図１５（ｂ）は引き戸にロックをした状態の図であり、図１６は、同引き戸のロック装置のロックユニットの背面分解斜視図であり、図１７は、同引き戸のロック装置の引き戸取り付け状態上面図であり、図１８は、同引き戸のロック装置のロックユニットの正面図である。なお、第三の実施形態では、移動ユニット３を共通としているため、移動ユニット３に関する説明は省略する。これまで説明したロックユニット２が、レバー６の回転によって小開閉板（上部小開閉板５ａ、中部小開閉板５ｂ、下部小開閉板５ｃ）を回転させ引き戸をロックさせる構造に対して、第三の実施形態は、薄肉連結板付レバー２１をスライドさせることで、開閉板１８を回転させ、引き戸をロックさせる構造である。
【００４１】
開閉板１８を回転させる方法について特に限定はしないが、例として次のような構造を紹介する。なお、第三の実施形態は、移動ユニット３を共通のものとし、ロックユニットのみを変形させたものである。
【００４２】
図１５及び図１６に示すように、ロックユニット１６は、板状体１７と、開閉板１８と、薄肉連結板１９と、開閉板用軸２０と、薄肉連結板付レバー２１と、板状体内ガイド２２を有する。
【００４３】
板状体１７は、第一の実施形態における板状体４に相当し、内部に薄肉連結板用ガイド１７ａが設けられている。なお、薄肉連結板用ガイド１７ａは、板状体４に設けた貫通孔としているが、薄肉連結板１９と薄肉連結板付レバー２１は固定されているため、薄肉連結板付レバー２１の可動範囲では、貫通孔ではなく、コの字形状としている。又、開閉板用ストッパー１７ｂは、薄肉連結板付レバー２１を、板状体１７の先端方向へスライドさせた時に、引き戸のロックが解除状態で止まるためのストッパーであり、開閉板用ストッパー１７ｃは、薄肉連結板付レバー２１を板状体１７の中心方向へスライドさせた時や、壁又は引き戸２４に押されて開閉板１８が開いていく際、９０度で止まり、引き戸をロックさせるためのストッパーである。なお、薄肉連結用凹み１７ｄには、薄肉連結板１９が収まる凹みを設定しているが、使用方法については後述する。
【００４４】
開閉板１８は、第一の実施形態の開閉板５における、上部小開閉板５ａ、中部小開閉板５ｂ、下部小開閉板５ｃに相当し、引き戸をロックさせるための部品である。尚、開閉板１８の、開閉板用軸２０側にある面は、半円、又は1／４円とし、９０度開いた時点で、開閉板用ストッパー１７ｃと平面で当たることにより９０度以上開かない構造としている。又、開閉板連結部１８ａは、薄肉連結板１９と連結する部分であり、薄肉連結板１９が自由に回転できる形状としている。開閉板軸孔１８ｂは、開閉板用軸２０を通すための貫通孔であり、開閉板凹み部１８ｃは、開閉板１８が板状体に対して９０度開き、引き戸ロック状態となった時に薄肉連結板１９が壁又は引き戸２４と干渉して、傷がつかないようにするために、薄肉連結板１９が収まるための凹みである（図１６参照）。
【００４５】
薄肉連結板１９は、レバーの動きを開閉板の回転に伝えるという点では、第一の実施形態における開閉板５に相当し、幅が約５ｍｍ、厚さが約１ｍｍ程度で、ある程度の強度を持ち、変形が可能なナイロンのような樹脂が好ましいが、これに限らず、他の材料を用いてもよい。又、一方は、開閉板連結部１８ａと連結し、薄肉連結板用ガイド１７ａを通って、薄肉連結板付レバー２１と固定しているため、薄肉連結板用ガイド１７ａを通っている時は薄肉連結板用ガイド１７ａによって、たわむこと無く、薄肉連結板用ガイド１７ａから出た、開閉板連結部１８ａ付近では曲がることが可能な構造としている。
【００４６】
開閉板用軸２０は、板状体１７に対して、開閉板１８が回転するために、板状体１７と開閉板１８を貫通する軸である。又、図１５では、開閉板用軸２０の両端を、フタなどで固定した形状となっているが、これに限らず、釘のような形状（両端にあるフタから下のフタのみ外した状態）とし、重力で落ちないように、上から通すだけにする方法もあり、このような形状にすれば、取り外しが容易になる。容易に取り外せる利点については、後述する。
【００４７】
薄肉連結板付レバー２１は、第一の実施形態の開閉板５におけるレバー６に相当し、薄肉連結板１９と固定されていることで、前述したように、薄肉連結板付レバー２１の力を開閉板１８へ伝えることができる。なお、形状は持ち易い形に変えても問題はない。
【００４８】
板状体内ガイド２２は、薄肉連結板用ガイド１７ａとつながっており、薄肉連結板付レバー２１から伝わった力を、壁又は引き戸２４方向へ伝えるためのガイドの役割を果たす空間であるが、詳細については、後述する。
【００４９】
図１６のように、薄肉連結板１９の先端は、開閉板１８と連結しており、他端には薄肉連結板付レバー２１が固定されている。そして、薄肉連結板付レバー２１を操作し、引き戸に取り付けることで、引き戸をロックすることが可能となる（図１７参照）。なお、取り付け方法については後述する。又、前述したように、薄肉連結板１９と薄肉連結板付レバー２１は固定されているが、薄肉連結板用ガイド１７ａが全て貫通孔だと、薄肉連結板付レバー２１は、四方を囲む薄肉連結板用ガイド１７ａによって動かすことができないため、薄肉連結板付レバー２１の可動範囲のみコの字形状とし、１方向を開放することで薄肉連結板１９がたわまないようにし、薄肉連結板付レバー２１の力を伝えることを可能としている（図１８参照）。
【００５０】
次に、図１９を用いて、使用方法の説明を行う。ここで、図１９は、図１８のＥ−Ｅ断面図における使用方法を示す図であり、図１９（ａ）は引き戸のロックを解除した状態の図であり、図１９（ｂ）は開閉板を少し開いた状態の図であり、図１９（ｃ）は引き戸にロックをした状態の図であり、図１９（ｄ）は、図１９（ａ）のＦ視拡大図である。まず、薄肉連結板付レバー２１を板状体１７の先端方向へスライドさせ、開閉板１８を引っ張ることで開閉板１８を閉じた状態とし、引き戸２３と、壁又は引き戸２４の間を通す（図１９（ａ）参照）。その後、開閉板１８が壁又は引き戸２４を超えてから、薄肉連結板付レバー２１を板状体１７の中心方向へスライドさせる。すると、板状体内ガイド２２の空間で薄肉連結板１９がたわみ、壁又は引き戸２４方向へ力が働き、開閉板１８が開く。なお、この時、開閉板１８が９０度開ききる必要はなく、開閉板１８が壁又は引き戸２４に当たる程度開けば、問題ない（図１９（ｂ）参照）。その後、板状体１７を、引き戸２３と、壁又は引き戸２４の間から引き抜く方向へ引っ張ると、壁又は引き戸２４に押されて、開閉板１８は開いていき、９０度開いた時点で、開閉板用ストッパー１７ｃによって平面同士が接触し、それ以上引き抜くことができなくなる（図１９（ｃ）参照）。その後は第一の実施形態と同様に移動ユニット３を操作して、ロックの隙間をなくす調整をすると、引き戸はロック状態となる。なお、前述したように、移動ユニット３は共通のため、図１９への記載と調整に関する説明は省略する。
【００５１】
又、薄肉連結板用ガイド１７ａを一直線にすると、薄肉連結板付レバー２１から伝わった力が、開閉板１８とぶつかり、開閉板１８が開く方向に力が伝わらない。そこで、薄肉連結板用ガイド１７ａの先端を、板状体内ガイド２２のような、開閉板１８が開く方向と逆方向に空間のある形状として、開閉板１８が開く方向に力の向きを変える形状としている（図１９（ｄ）参照）。尚、力の向きを開閉板１８が開く方向に伝える構造であれば、形状は限定しない。
【００５２】
又、開閉板用軸２０を容易に取り外せる形状にすると、開閉板用軸２０を取り外し（図２０（ａ）参照）、板状体１７と、開閉板１８を一直線にすることで、第一の実施形態と同様に、部屋の外からでも、ロックを解除し、引き戸２３を開くことができる（図２０（ｂ）参照）。この時、開閉板１８付近の、薄肉連結板１９は、薄肉連結板用凹み１７ｄに隠れる形となるため、板状体１７より、厚みが出ることはない。ここで、図２０は、図１８のＥ−Ｅ断面図における部屋の外からのロック解除方法を示す図であり、図２０（ａ）は開閉板の取り外し方法を示す図であり、図２０（ｂ）は引き戸のロックを解除した状態の図である。
【００５３】
今回開示された実施の形態は、全ての点で例示であって、制限的なものではないと考えられるべきである。本発明の範囲は、上記した説明ではなくて、特許請求の範囲によって示され、特許請求の範囲と均等の意味、及び範囲内での全ての変更が含まれることが意図される。
【００５４】
補足として、図２１を用いて、本発明の固定部についての変形例を説明する。固定部１２は、引き戸に取り付けた際、部屋の中から目に付きやすい部品であるので、クリップ押し位置１２ａ、レバー用ストッパー１２ｂ、引き戸つかみ部１２ｃに影響がない形状であれば、固定部２５、固定部２６のように子供等の喜ぶ形状にしても問題ない。ここで、図２１は、本発明の第一、第三の実施形態における固定部変形例である。
【符号の説明】
【００５５】
１      引き戸のロック装置
２      ロックユニット
３      移動ユニット
４      板状体
４ａ    板状体側係止部
４ｂ    回転軸孔
５      開閉板
５ａ    上部小開閉板
５ｂ    中部小開閉板
５ｃ    下部小開閉板
５ｄ    回転軸
５ｅ    上部レバー連結部
５ｆ    下部レバー連結部
５ｇ    補強形状
５ｈ    開閉板付ロック部
６      レバー
７      小開閉板連結部
８      レバー留め具
９      移動部本体
９ａ    レバー用ストッパー
９ｂ    移動部付ロック部
１０ａ  移動部ロック解除ボタン
１０ｂ  移動部ロック解除ボタン
１０ｃ  移動部ロック解除ボタン側係止部
１１    移動部ロック解除ボタン用バネ
１２    固定部
１２ａ  クリップ押し位置
１２ｂ  レバー用ストッパー
１２ｃ  引き戸つかみ部
１３    クリップ用バネ
１４    ネジ固定構造用移動部本体
１４ａ  レバー用ストッパー
１４ｂ  移動部付ロック部
１４ｃ  メネジ構造部
１５    固定部
１５ａ  ハンドル
１５ｂ  ネジ構造部
１５ｃ  接触部土台
１５ｄ  接触部
１６    ロックユニット
１７    板状体
１７ａ  薄肉連結板用ガイド
１７ｂ  開閉板用ストッパー
１７ｃ  開閉板用ストッパー
１７ｄ  薄肉連結板用凹み
１８    開閉板
１８ａ  開閉板連結部
１８ｂ  開閉板軸孔
１８ｃ  開閉板凹み部
１９    薄肉連結板
２０    開閉板用軸
２１    薄肉連結板付レバー
２２    板状体内ガイド
２３    引き戸
２４    壁又は引き戸
２５    固定部
２６    固定部
【図１】
2013159954.tif 000003
【図２】
2013159954.tif 000004
【図３】
2013159954.tif 000005
【図４】
2013159954.tif 000006
【図５】
2013159954.tif 000007
【図６】
2013159954.tif 000008
【図７】
2013159954.tif 000009
【図８】
2013159954.tif 000010
【図９】
2013159954.tif 000011
【図１０】
2013159954.tif 000012
【図１１】
2013159954.tif 000013
【図１２】
2013159954.tif 000014
【図１３】
2013159954.tif 000015
【図１４】
2013159954.tif 000016
【図１５】
2013159954.tif 000017
【図１６】
2013159954.tif 000018
【図１７】
2013159954.tif 000019
【図１８】
2013159954.tif 000020
【図１９】
2013159954.tif 000021
【図２０】
2013159954.tif 000022
【図２１】
2013159954.tif 000023
【図２２】
2013159954.tif 000024